(57)【要約】      （修正有）【課題】撮像装置が通信により外部機器のディスプレイを利用する際に、より快適な操作環境を実現できるようにする。【解決手段】外部機器２００と無線通信で接続することが可能な撮像装置１００は、ファインダー３０１と、ファインダーへの接眼を検知する接眼検知手段３０２と、外部機器と無線通信で接続している状態で、接眼検知手段により接眼を検知した場合、外部機器の表示部に対して行われた撮像装置に対する操作を禁止するように制御する制御手段とを備える。【選択図】図９
2018082488.tif 000002
【特許請求の範囲】
【請求項１】
外部機器と無線通信で接続することが可能な撮像装置であって、
ファインダーと、
ファインダーへの接眼を検知する接眼検知手段と、
前記外部機器と前記無線通信で接続している状態で、前記接眼検知手段により接眼を検知した場合、前記外部機器の表示部に対して行われた該撮像装置に対する操作を禁止するように制御する制御手段とを備えたことを特徴とする撮像装置。
【請求項２】
撮像装置と無線通信で接続することが可能な外部機器であって、
表示部と、
前記撮像装置と前記無線通信で接続している状態で、前記表示部への操作によって前記撮像装置に対する操作を受け付ける受付手段と、
前記撮像装置と前記無線通信で接続している状態で、前記撮像装置のファインダーへの接眼が検知された場合、前記表示部に対して行われる前記撮像装置に対する操作を無効とするように制御する制御手段とを備えたことを特徴とする外部機器。
【請求項３】
前記制御手段は更に、前記撮像装置と前記無線通信で接続している状態で、前記撮像装置のファインダーへの接眼が検知された場合、前記表示部に、該外部機器からの前記撮像装置に対する操作が無効となっていることを示す表示を行うことを特徴とする請求項２に記載の外部機器。
【請求項４】
前記撮像装置に対する操作は、レリーズ操作又は撮影パラメータの変更操作であることを特徴とする請求項２又は３に記載の外部機器。
【請求項５】
外部機器と無線通信で接続することが可能な撮像装置の制御方法であって、
前記外部機器と前記無線通信で接続している状態で、ファインダーへの接眼を検知する接眼検知手段により接眼を検知した場合、前記外部機器の表示部に対して行われた該撮像装置に対する操作を禁止するように制御するステップを有することを特徴とする撮像装置の制御方法。
【請求項６】
撮像装置と無線通信で接続することが可能な外部機器の制御方法であって、
前記撮像装置と前記無線通信で接続している状態で、当該外部機器の表示部への操作によって前記撮像装置に対する操作を受け付けるステップと、
前記撮像装置と前記無線通信で接続している状態で、前記撮像装置のファインダーへの接眼が検知された場合、前記表示部に対して行われる前記撮像装置に対する操作を無効とするように制御するステップとを有することを特徴とする外部機器の制御方法。
【請求項７】
コンピュータを、請求項１に記載された撮像装置の各手段として機能させるためのプログラム。
【請求項８】
コンピュータを、請求項１に記載された撮像装置の各手段として機能させるためのプログラムを格納したコンピュータが読み取り可能な記憶媒体。
【請求項９】
コンピュータを、請求項２乃至４のいずれか１項に記載された外部機器の各手段として機能させるためのプログラム。
【請求項１０】
コンピュータを、請求項２乃至４のいずれか１項に記載された外部機器の各手段として機能させるためのプログラムを格納したコンピュータが読み取り可能な記憶媒体。
【発明の詳細な説明】
【技術分野】
【０００１】
本発明は、撮像装置、外部機器、それらの制御方法、プログラム及び記憶媒体に関する。
【背景技術】
【０００２】
従来、デジタル一眼レフカメラにおいて、ビューファインダーへの接眼を検知したことに応じて、カメラのディスプレイをオフにする技術が知られている（特許文献１）。
【先行技術文献】
【特許文献】
【０００３】
【特許文献１】特開２００５−２２９２５５号公報
【発明の概要】
【発明が解決しようとする課題】
【０００４】
近年では、カメラが携帯端末等の外部機器と通信を行い、例えばカメラで撮影した画像を携帯端末のディスプレイに表示する機能が実現されている。
しかしながら、上述の特許文献１では、カメラのディスプレイしか制御しておらず、カメラで撮影した画像を携帯端末のディスプレイに表示する機能について何ら考慮されていない。カメラ側の状況に応じて外部機器のディスプレイを適切に制御することで、より快適な撮影環境を実現することができる。
【０００５】
本発明では上記のような点に鑑みてなされたものであり、撮像装置が通信により外部機器のディスプレイを利用する際に、より快適な操作環境を実現できるようにすることを目的とする。
【課題を解決するための手段】
【０００６】
本発明の撮像装置は、外部機器と無線通信で接続することが可能な撮像装置であって、ファインダーと、ファインダーへの接眼を検知する接眼検知手段と、前記外部機器と前記無線通信で接続している状態で、前記接眼検知手段により接眼を検知した場合、前記外部機器の表示部に対して行われた該撮像装置に対する操作を禁止するように制御する制御手段とを備えたことを特徴とする。
【発明の効果】
【０００７】
本発明によれば、撮像装置が通信により外部機器のディスプレイを利用する際に、より快適な操作環境を実現することができる。
【図面の簡単な説明】
【０００８】
【図１】第１の実施形態に係るデジタルカメラの概略構成を示すブロック図である。
【図２】第１の実施形態に係る携帯端末の概略構成を示すブロック図である。
【図３】第１の実施形態においてデジタルカメラと携帯端末とが通信を行うシステムの概略構成を示す図である。
【図４】第１の実施形態においてデジタルカメラと携帯端末とが無線通信を行う場合のデジタルカメラの処理動作を示すフローチャートである。
【図５】第１の実施形態においてデジタルカメラと携帯端末とが無線通信を行う場合の携帯端末の処理動作を示すフローチャートである。
【図６】第１の実施形態においてデジタルカメラと携帯端末とがコネクタ接続による通信を行う場合のデジタルカメラの処理動作を示すフローチャートである。
【図７】第１の実施形態においてデジタルカメラと携帯端末とがコネクタ接続による通信を行う場合の携帯端末の処理動作を示すフローチャートである。
【図８】第１の実施形態における接眼検知時の状態を示す図である。
【図９】第２の実施形態における接眼検知時の状態を示す図である。
【図１０】第２の実施形態においてデジタルカメラと携帯端末とが無線通信を行う場合のデジタルカメラの処理動作を示すフローチャートである。
【図１１】第２の実施形態においてデジタルカメラと携帯端末とが無線通信を行う場合の携帯端末の処理動作を示すフローチャートである。
【発明を実施するための形態】
【０００９】
以下、添付図面を参照して、本発明の好適な実施形態について説明する。
（第１の実施形態）
＜カメラ１００の構成＞
図１は、第１の実施形態に係る撮像装置であるデジタルカメラ（以下、単にカメラと呼ぶ）１００の概略構成を示すブロック図である。
カメラ１００は、表示装置１０１、中央処理装置（ＣＰＵ）１０２、主記憶装置１０３、不揮発性メモリ１０４、通信インターフェース（Ｉ／Ｆ）１０５、撮像部１０６、画像処理部１０７、接眼検知部１０８、操作部１０９、記憶媒体１１０、コネクタ端子１１１、無線通信用アンテナ１１２、バス１１３を備える。
【００１０】
表示装置１０１は、撮影した画像やユーザ設定画面、ライブビュー画像の表示等を行う表示部である。
中央処理装置（ＣＰＵ）１０２は、後述する各種処理を実行するマイクロプロセッサ等から構成される。中央処理装置１０２が主記憶装置１０３或いは不揮発性メモリ１０４に格納されたプログラムを実行することにより、後述するフローチャートに示す処理が実行される。
主記憶装置１０３は、ＲＯＭやＲＡＭ等から構成されており、撮像等の機器制御を行うオペレーティングシステム（ＯＳ）、画像データを送信する処理を行うプログラムをＲＯＭに格納している。プログラムを実行する場合は、ＲＯＭからＲＡＭにプログラムを展開する。
不揮発性メモリ１０４は、フラッシュメモリ等から構成されており、ユーザの設定情報等の撮像装置の電源がＯＦＦの間も保持すべき情報、画像データを送信する度に生成される送信済み情報、等を記憶する。また、上記プログラムコード群を格納することも可能である。
通信Ｉ／Ｆ１０５は、コネクタ端子１１１又は無線通信用アンテナ１１２を介して外部機器と接続する際のインターフェースを司る。
【００１１】
撮像部１０６は、被写体の撮影を行い、例えば静止画（写真）を生成する。
画像処理部１０７は、撮影した画像の圧縮等の画像処理を行う。
接眼検知部１０８は、ファインダーの近傍等に設置され、主に撮影者がファインダーを覗いていることを検知するために使われる。
操作部１０９は、実際の撮影の操作を行う場合やユーザ設定画面から所望の設定を入力する場合に用いる。
記憶媒体１１０は、コンパクトフラッシュ（登録商標）メモリ或いはＳＤ（Secure Digital）メモリから構成されており、撮影した画像データを保存する。
バス１１３は、上記構成要素間でデータや信号を授受する際の伝送路である。
【００１２】
以上のようにしたカメラ１００では、撮像部１０６で撮影したライブビュー画像を画像処理部１０７で画像処理する。中央処理装置１０２は、画像データを主記憶装置１０３に格納し、また、その画像データを通信Ｉ／Ｆ１０５を介して外部機器に送信することができる。
【００１３】
＜携帯端末２００の構成＞
図２は、第１の実施形態に係る外部機器である携帯端末の概略構成を示すブロック図である。
携帯端末２００は、表示装置２０１、中央処理装置（ＣＰＵ）２０２、主記憶装置２０３、不揮発性メモリ２０４、通信インターフェース（Ｉ／Ｆ）２０５、タッチ位置検出部２０６、着信通知部２０７、通話部２０８、操作部２０９、記憶媒体２１０、コネクタ端子２１１、無線通信用アンテナ２１２、バス２１３を備える。
【００１４】
表示装置２０１は、ＵＩ（UserInterface）の表示等を行う表示部である。
中央処理装置（ＣＰＵ）２０２は、後述する各種処理を実行するマイクロプロセッサ等から構成される。中央処理装置２０２が主記憶装置２０３或いは不揮発性メモリ２０４に格納されたプログラムを実行することにより、後述するフローチャートに示す処理が実行される。
主記憶装置２０３は、ＲＯＭやＲＡＭ等から構成されており、機器制御を行うオペレーティングシステム（ＯＳ）、画像データを受信、操作命令を送信する処理を行うプログラムをＲＯＭに格納している。プログラムを実行する場合は、ＲＯＭからＲＡＭにプログラムを展開する。
不揮発性メモリ２０４は、フラッシュメモリ等から構成されており、ユーザの設定情報等の携帯端末の電源がＯＦＦの間も保持すべき情報、等を記憶する。また、上記プログラムコード群を格納することも可能である。
通信Ｉ／Ｆ２０５は、コネクタ端子２１１又は無線通信用アンテナ２１２を介して外部機器と接続する際のインターフェースを司る。
【００１５】
タッチ位置検出部２０６は、表示装置２０１に重ねる形で実装され、タッチした位置の座標を検出する。ユーザは表示装置２０１に表示されるＵＩをタッチする形でその位置に対応した処理を直感的に実行ことができる。
着信通知部２０７は、通信先からの着信をユーザに通知する。
通話部２０８は、電話通話機能を実現する。
操作部２０９は、所望の設定を入力する場合に用いる。
記憶媒体２１０は、コンパクトフラッシュ（登録商標）メモリ或いはＳＤ（Secure Digital）メモリから構成されており、撮影した画像データを保存する。
バス２１３は、上記構成要素間でデータや信号を授受する際の伝送路である。
【００１６】
なお、携帯端末２００は、Ｗｉ−Ｆｉ、Ｂｌｕｅｔｏｏｔｈ（登録商標）等の通信機能を持つ市販のスマートフォンでも、カメラと独自の通信プロトコルを持つような専用端末でもよい。
【００１７】
＜システム構成＞
図３は、第１の実施形態においてカメラ１００と携帯端末２００とが通信を行うシステムの概略構成を示す図である。
図３（ａ）は、カメラ１００と携帯端末２００とが無線通信を行う状態を示す。図３（ｂ）は、カメラ１００と携帯端末２００とがコネクタ接続による通信（以下、コネクタ通信と呼ぶ）を行う状態を示す。
カメラ１００と携帯端末２００とを連携させることにより、例えば無線通信時では、カメラ１００のライブビュー画像を携帯端末２００に送ることで、カメラ１００から離れた場所で構図の確認や、カメラ１００の表示装置１０１を確認できないようなアングルからの撮影が可能となる。また、携帯端末２００の表示装置２０１のタッチ入力機能を使用した直感的なＵＩを利用することができる。携帯端末２００の表示装置２０１にカメラコントロールパネルを表示し、カメラコントローラパネルを操作することで、携帯端末２００からレリーズや撮影パラメータを変更することが可能である。カメラコントロールパネルは、専用のアプリケーションを携帯端末２００にインストールする形でも、カメラ１００内に保存されているコントロールパネルデータを携帯端末２００から参照する形でもよい。
【００１８】
図３（ａ）では、カメラ１００と、カメラ１００から離れた場所にある携帯端末２００とが無線通信を行い、カメラ１００が撮影したライブビュー画像を双方の表示装置１０１、２０１に表示している様子を示す。カメラ１００で撮影したライブビュー画像は、無線通信用アンテナ１１２から携帯端末２００の無線通信用アンテナ２１２に送られる。携帯端末２００では、ライブビュー画像の受信後、中央処理装置２０２の制御下で主記憶装置２０３にライブビュー画像が格納され、表示装置２０１に表示される。ここで、ライブビュー画像と一緒にカメラ１００の撮影パラメータ等のカメラ情報も携帯端末２００に送ることにより、携帯端末２００からでもカメラ１００の撮影パラメータを確認することが可能となる。ライブビュー画像及び撮影パラメータは、コントロールパネルの所定の位置に埋め込まれ、携帯端末２００の表示装置２０１に表示される。これらの情報はカメラ１００から携帯端末２００に定期的に送られ、カメラ１００で撮影パラメータの変更があれば、随時表示情報は更新される。撮影パラメータとしては、カメラの撮影モード、ＷＢ設定、ＩＳＯ感度、撮影残り枚数、バッテリー残量、露出、ＡＦフレーム等が考えられる。
【００１９】
また、携帯端末２００のカメラコントロールパネルにカメラ１００の操作部材を設置することにより、携帯端末２００からカメラ１００を遠隔操作することができる。携帯端末２００の表示装置２０１にカメラコントロールパネルを表示し、カメラコントロールパネルの操作はタッチ位置検出部２０６がその座標を検出し、その位置に対応した命令を無線通信用アンテナ２１２を介してカメラ１００に送信する。カメラ１００は、命令を無線通信用アンテナ１１２で受ける。受けた命令はカメラ１００の中央処理装置１０２によって処理され、主記憶装置１０３に格納されている対応するプログラムが実行される。カメラコントロールパネル上の操作部材としては、シャッターボタン、ＡＦボタン、撮影モード切り替えボタン、ＷＢ切り替えボタン、露出設定スライドバー、ＩＳＯ感度設定スライドバー等が考えられる。携帯端末２００上のライブビュー画像をタッチし、その座標にＡＦさせることもできる。
【００２０】
図４は、カメラ１００と、カメラ１００から離れた場所にある携帯端末２００とが無線通信を行う場合のカメラ１００の処理動作を示すフローチャートである。
中央処理装置１０２は、携帯端末２００と無線通信する携帯端末無線通信モードに変更する（ステップＳ４０１）。携帯端末無線通信モードでは、カメラ１００は携帯端末２００と無線通信を行い、カメラ１００のライブビュー画像やカメラ情報を携帯端末２００に表示したり、携帯端末２００からカメラ１００を操作したりすることができる。
【００２１】
次に、中央処理装置１０２は、無線通信用アンテナ１１２を含む無線通信モジュールを起動し（ステップＳ４０２）、携帯端末２００からの接続要求を待つ。携帯端末２００からの接続要求を受信すると（ステップＳ４０３）、中央処理装置１０２は、携帯端末２００とのペアリング処理を開始する（ステップＳ４０４）。ペアリングが終わると、中央処理装置１０２は、ライブビュー撮影を開始して（ステップＳ４０５）、ライブビュー画像を撮影し（ステップＳ４０６）、撮影したライブビュー画像と撮影パラメータ等のカメラ情報を携帯端末２００に送信する（ステップＳ４０７）。
【００２２】
次に、中央処理装置１０２は、カメラ１００の接眼検知の有無を判定する（ステップＳ４０８）。接眼検知がある場合、中央処理装置１０２は、表示装置１０１をＯＦＦ（消灯）にする（ステップＳ４１０）。接眼検知がない場合、中央処理装置１０２は、表示装置１０１をＯＮにし、ライブビュー画像等のＵＩを表示する（ステップＳ４０９）。
【００２３】
次に、中央処理装置１０２は、携帯端末２００からの操作要求の有無を確認し（ステップＳ４１１）、操作要求がある場合、要求に関連する処理を行う（ステップＳ４１２）。
次に、中央処理装置１０２は、携帯端末無線通信モードの終了要求の有無を確認し（ステップＳ４１３）、終了要求がある場合、ライブビュー撮影や無線モジュールの停止等の終了処理を行い（ステップＳ４１４）、携帯端末無線通信モードを終了する。終了要求がない場合、ステップＳ４０６に戻って、以降の処理を繰り返す。
【００２４】
図５は、カメラ１００と、カメラ１００から離れた場所にある携帯端末２００とが無線通信を行う場合の携帯端末２００の処理動作を示すフローチャートである。
中央処理装置２０２は、無線通信用アンテナ２１２を含む無線通信モジュールを起動し（ステップＳ５０１）、カメラ１００に接続要求を送信する（ステップＳ５０２）。そして、中央処理装置２０２は、アプリケーションを起動し（ステップＳ５０３）、カメラ１００とのペアリング処理を開始する（ステップＳ５０４）。ペアリングが終わると、中央処理装置２０２は、カメラ１００からライブビュー画像とカメラ情報を受信し（ステップＳ５０５）、表示装置２０１に受信した情報を表示する（ステップＳ５０６）。
次に、中央処理装置２０２は、ユーザによるカメラ操作要求の有無を判定し（ステップＳ５０７）、カメラ操作要求がある場合、カメラ１００にカメラ操作要求を送信する（ステップＳ５０８）。
次に、中央処理装置２０２は、ユーザによる終了要求の有無を確認し（ステップＳ５０９）、終了要求がある場合、アプリケーションの終了、無線の切断等の終了処理を行う（ステップＳ５１０）。終了要求がない場合、ステップＳ５０５に戻って、以降の処理を繰り返す。
【００２５】
図３（ｂ）では、カメラ１００と携帯端末２００とがコネクタ通信を行い、カメラ１００が撮影したライブビュー画像を双方の表示装置１０１、２０１に表示している様子を示す。カメラ１００と携帯端末２００との通信は、コネクタ端子１１１とコネクタ端子２１１とを介して行われる。シリアル接続の場合も、無線通信の場合と同様に、ライブビュー画像や撮影パラメータ等のカメラ情報の表示、カメラコントロールパネルからのカメラ１００の操作を行うことができる。
【００２６】
図６は、カメラ１００と携帯端末２００とがコネクタ通信を行う場合のカメラ１００の処理動作を示すフローチャートである。
中央処理装置１０２は、携帯端末２００とコネクタ通信する携帯端末コネクタ通信モードに変更する（ステップＳ６０１）。携帯端末コネクタ通信モードでは、カメラ１００は携帯端末２００とコネクタ通信を行い、カメラ１００のライブビュー画像やカメラ情報を携帯端末２００に表示したり、携帯端末２００からカメラ１００を操作したりすることができる。
【００２７】
カメラ１００と携帯端末２００とをコネクタ接続すると（ステップＳ６０２）、中央処理装置１０２は、携帯端末２００からの接続要求を待つ。携帯端末２００からの接続要求を受信すると（ステップＳ６０３）、中央処理装置１０２は、携帯端末２００とのペアリング処理を開始する（ステップＳ６０４）。ペアリングが終わると、中央処理装置１０２は、ライブビュー撮影を開始して（ステップＳ６０５）、ライブビュー画像を撮影し（ステップＳ６０６）、撮影したライブビュー画像と撮影パラメータ等のカメラ情報を携帯端末２００に送信する（ステップＳ６０７）。この場合、カメラ情報には、後述する接眼検知の状況を示す情報も含まれる。
【００２８】
次に、中央処理装置１０２は、カメラ１００の接眼検知の有無を判定する（ステップＳ６０８）。この判定は、ステップＳ６０５とステップＳ６０７と並行して実行される。接眼検知がある場合、詳しくは後述するが、表示装置１０１をＯＦＦ（消灯）にするとともに、接眼検知があったことをカメラ情報に含める（ステップＳ６１０）。接眼検知がない場合、中央処理装置１０２は、表示装置１０１をＯＮにし、ライブビュー画像等のＵＩを表示する（ステップＳ６０９）。
【００２９】
次に、中央処理装置１０２は、携帯端末２００からの操作要求の有無を確認し（ステップＳ６１１）、操作要求がある場合、要求に関連する処理を行う（ステップＳ６１２）。
次に、中央処理装置１０２は、携帯端末コネクタ通信モードの終了要求の有無を確認し（ステップＳ６１３）、終了要求がある場合、ライブビュー撮影やコネクタ通信切断等の終了処理を行い（ステップＳ６１４）、携帯端末コネクタ通信モードを終了する。終了要求がない場合、ステップＳ６０６に戻って、以降の処理を繰り返す。
【００３０】
図７は、カメラ１００と携帯端末２００とがコネクタ通信を行う場合の携帯端末２００の処理動作を示すフローチャートである。
カメラ１００と携帯端末２００とをコネクタ接続すると（ステップＳ７０１）、中央処理装置２０２は、カメラ１００に接続要求を送信する（ステップＳ７０２）。そして、中央処理装置２０２は、アプリケーションを起動し（ステップＳ７０３）、カメラ１００とのペアリング処理を開始する（ステップＳ７０４）。ペアリングが終わると、中央処理装置２０２は、カメラ１００からライブビュー画像とカメラ情報を受信する（ステップＳ７０５）。
【００３１】
次に、中央処理装置２０２は、カメラ１００において接眼を検知しているか否かを判定する（ステップＳ７０６）。カメラ１００での接眼検知の有無についての情報は、図６のステップＳ６０７でカメラ１００から送られてくるカメラ情報から取得する。カメラ１００で接眼している場合、中央処理装置２０２は、表示装置２０１をＯＦＦ（消灯）にする（ステップＳ７０９）。カメラ１００で接眼していない場合、中央処理装置２０２は、表示装置２０１をＯＮにするとともに（ステップＳ７０７）、表示装置２０１に受信した情報を表示する（ステップＳ７０８）。
【００３２】
次に、中央処理装置２０２は、ユーザによるカメラ操作要求の有無を判定し（ステップＳ７１０）、カメラ操作要求がある場合、カメラ１００にカメラ操作要求を送信する（ステップＳ７１１）。
次に、中央処理装置２０２は、ユーザによる終了要求の有無を確認し（ステップＳ７１２）、終了要求がある場合、アプリケーションの終了、コネクタの切断等の終了処理を行う（ステップＳ７１３）。終了要求がない場合、ステップＳ７０５に戻り、以降の処理を繰り返す。
【００３３】
＜接眼検知時の動作＞
以下では、カメラ１００が接眼を検知したときの動作について説明する。図３に示すように、接眼検知は、カメラのファインダー３０１の近くに設置した、接眼検知部１０８を構成する近接センサ３０２を用いて、撮影者がファインダーを覗いたこと（近接センサ３０２に近づいたこと）を検知する。接眼時、撮影者はファインダーを通じて被写体に注視しており、表示装置１０１を見ることはほとんどない。したがって、接眼検知時に表示装置１０１を消灯しても、撮影者に影響は無い。表示装置１０１を消灯することで消費電力を抑えることができる。
【００３４】
携帯端末２００との通信中に接眼を検知した場合、期待する携帯端末２００の動作は、カメラ１００と携帯端末２００との接続形態によって異なる。
カメラ１００と携帯端末２００とが無線通信を行っている場合、撮影者と携帯端末２００を使用している人物とが異なる可能性がある。そのため、カメラ１００が接眼を検知したときにカメラ１００の表示装置１０１と携帯端末２００の表示装置２０１を両方消灯してしまうと、携帯端末２００を使用している人物が表示装置２０１を確認できなくなってしまう。
一方、カメラ１００と携帯端末２００とがコネクタ通信を行っている場合、携帯端末２００はカメラ１００に固定されているため、カメラ１００の表示装置１０１と携帯端末２００の表示装置２０１は同じ人物が確認する可能性が高い。そのため、カメラ１００が接眼を検知したときは、カメラ１００の表示装置１０１と携帯端末２００の表示装置２０１の両方を消灯したほうが消費電力を抑えることができる。また、撮影体制時（接眼時）に携帯端末２００の表示装置２０１を消すことで、撮影者が携帯端末２００から感じる眩しさを軽減する効果もある。
【００３５】
図８（ａ）は、カメラ１００と携帯端末２００とが無線通信を行っているときの接眼検知時の状態を示す。カメラ１００の接眼検知部１０８が接眼を検知すると、カメラ１００の表示装置１０１は消灯するが、携帯端末２００の表示装置２０１は消灯しない。
【００３６】
このときの処理の流れを図４、図５のフローチャートを参照して説明する。
図４に示すように、カメラ１００では、接眼検知の有無を判定し（ステップＳ４０８）、接眼検知がある場合、表示装置１０１をＯＦＦ（消灯）にする（ステップＳ４１０）。以降、処理を繰り返し、再び接眼検知の有無を判定した際に（ステップＳ４０８）、接眼検知がある場合は引き続き表示装置１０１をＯＦＦにし（ステップＳ４１０）、接眼検知がない場合、表示装置１０１をＯＮにする（ステップＳ４０９）。
【００３７】
図５に示すように、携帯端末２００では、カメラ１００の接眼検知の有無に依らず処理を続行する。
【００３８】
一方、図８（ｂ）は、カメラ１００と携帯端末２００とがコネクタ通信を行っているときの接眼検知時の状態を示す。カメラ１００の接眼検知部１０８が接眼を検知すると、カメラ１００の表示装置１０１と携帯端末２００の表示装置２０１は両方消灯する。
【００３９】
このときの処理の流れを図６、図７のフローチャートを参照して説明する。
図６に示すように、カメラ１００では、接眼検知の有無を判定し（ステップＳ６０８）、接眼検知がある場合、表示装置１０１をＯＦＦ（消灯）にする（ステップＳ６１０）。
以降、処理を繰り返し、再び接眼検知の有無を判定した際に（ステップＳ６０８）、接眼検知がある場合は引き続き表示装置１０１をＯＦＦにし（ステップＳ６１０）、接眼検知がない場合、表示装置１０１をＯＮにする（ステップＳ６０９）。
【００４０】
図７に示すように、携帯端末２００では、カメラ１００での接眼検知の有無についての情報をカメラ情報から取得して、カメラ１００において接眼を検知しているか否かを判定し（ステップＳ７０６）、カメラ１００で接眼している場合、表示装置２０１をＯＦＦ（消灯）にする（ステップＳ７０９）。以降、処理を繰り返し、再びカメラ１００での接眼検知の有無を判定した際に（ステップＳ７０８）、接眼検知がある場合は引き続き表示装置２０１をＯＦＦにし（ステップＳ７０９）、接眼検知がない場合、表示装置２０１をＯＮにする（ステップＳ６０９）。
【００４１】
（第２の実施形態）
次に、第２の実施形態を説明する。以下では、第１の実施形態との相違点を中心に説明し、第１の実施形態との共通点の説明は省略する。
第１の実施形態では、カメラ１００と携帯端末２００とが無線通信又はコネクタ通信する場合に、カメラ１００の接眼検知時に表示装置を消灯／点灯させる動作について説明した。第１の実施形態では表示装置の消灯／点灯の制御にとどめたが、本実施形態では、携帯端末２００からのカメラ操作についても制御を行う例を説明する。
携帯端末２００にカメラ１００を操作する機能がある場合、携帯端末２００からカメラ１００のレリーズ及び撮影パラメータの変更が可能である。ここで、撮影者が撮影を行う直前に携帯端末２００から操作を行ってしまうと、携帯端末２００からの操作が撮影者の撮影行為に影響を与える可能性が高い。カメラ１００で接眼検知した場合、撮影者は撮影動作に入っていると考えることができる。接眼検知時は携帯端末２００からのカメラ操作を禁止することで、撮影者への影響を軽減することができる。
【００４２】
図１０は、カメラ１００と、カメラ１００から離れた場所にある携帯端末２００とが無線通信を行う場合のカメラ１００の処理動作を示すフローチャートである。
ステップＳ１００１〜Ｓ１００９では、図４のステップＳ４０１〜Ｓ４０９と同様の処理が実行される。また、ステップＳ１０１１〜Ｓ１０１４では、図４のステップＳ４１１〜Ｓ４１４と同様の処理が実行される。
図４を用いて説明した第１の実施形態との違いは、カメラ１００は、接眼検知中に携帯端末２００からの操作要求を無視する点である。
すなわち、ステップＳ１０１０で表示装置１０１をＯＦＦ（消灯）にするとともに、接眼検知があったことをカメラ情報に含める。そして、その後は、ステップＳ１０１１やステップＳ１０１２の処理を経ることなく、ステップＳ１０１３に進む。
【００４３】
図１１は、カメラ１００と、カメラ１００から離れた場所にある携帯端末２００とが無線通信を行う場合の携帯端末２００の処理動作を示すフローチャートである。
ステップＳ１１０１〜Ｓ１１０５では、図５のステップＳ５０１〜Ｓ５０５と同様の処理が実行される。
図５を用いて説明した第１の実施形態との違いは、携帯端末２００は、カメラ１００での接眼検知の有無についての情報をカメラ情報から取得して、接眼検知時はカメラ操作を禁止にし、ユーザがカメラ操作できないような表示に変更する一方、接眼未検知時はカメラ操作を許可し、ユーザがカメラ操作できる表示に変更する点である。
すなわち、ステップＳ１１０６で、中央処理装置２０２は、カメラ１００において接眼を検知しているか否かを判定する。カメラ１００での接眼検知の有無についての情報は、図１０のステップＳ１００７でカメラ１００から送られてくるカメラ情報から取得する。
【００４４】
ステップＳ１１０６においてカメラ１００で接眼検知している場合、中央処理装置２０２は、処理をステップＳ１１１１に進める。ステップＳ１１１１で、中央処理装置２０２は、カメラ操作を禁止する。具体的には、ユーザからのカメラ１００を遠隔操作するための指示を受け付けないよう制御する。続いて、中央処理装置２０２は、ステップＳ１１０５で受信したライブビュー画像により画面の表示を更新する（ステップＳ１１１２）。これにより、例えば図９（ａ）に示すような画面が表示装置２０１に表示される。この画面でアイコン９０１を表示することで、遠隔操作が不可能である旨をユーザに示す。
次に、中央処理装置２０２は、ユーザによるカメラ操作要求の有無を判定し（ステップＳ１１１３）、カメラ操作要求がない場合、処理をステップＳ１１１５に進める。ステップＳ１１１５以降の処理は、図５のステップＳ５０９以降の処理と同様である。一方、カメラ操作要求がある場合、中央処理装置１０２は、カメラ操作が禁止されている旨をユーザに通知する（ステップＳ１１１４）。例えば図９（ｂ）に示すように表示装置２０１にメッセージ９０２を表示する。
【００４５】
一方、ステップＳ１１０６においてカメラ１００で接眼検知していない場合、中央処理装置２０２は、処理をステップＳ１１０７に進める。ステップＳ１１０７で、中央処理装置１０２は、カメラ操作の禁止を解除する。具体的には、ユーザからのカメラ１００を遠隔操作するための指示を受け付けるよう制御する。なお、本ステップが実行される前にカメラ操作が禁止されていない場合は、本ステップでは何も行わない。続いて、中央処理装置２０２は、ステップＳ１１０５で受信したライブビュー画像により画面の表示を更新する（ステップＳ１１０８）。ステップＳ１１０９以降の処理は、図５のステップＳ５０７以降の処理と同様である。
【００４６】
図９は、カメラ１００と携帯端末２００とが無線通信を行っているときの接眼検知時の状態を示す。
第１の実施形態と同様、カメラ１００の接眼検知部１０８が接眼を検知すると、カメラ１００の表示装置１０１は消灯するが、携帯端末２００の表示装置２０１は消灯しない。
さらに、携帯端末２００からのカメラ操作を禁止するために、図９（ａ）に示すように、接眼検知時は携帯端末の表示装置２０１に表示しているカメラコントロールパネルの操作部材をグレーアウト等したり、アイコン９０１により外部操作ができないことを表示したりする。さらに、この状態でユーザがなんらかの操作をしようとした場合には、図９（ｂ）に示すように、携帯端末２００からカメラ操作ができない旨のメッセージ９０２を表示してユーザに通知してもよい。
【００４７】
なお、カメラ１００と携帯端末２００とがコネクタ通信を行っているときに、カメラ１００の接眼検知部１０８が接眼を検知すると、第１の実施形態と同様、カメラ１００の表示装置１０１と携帯端末２００の表示装置２０１は両方消灯する。そのため、カメラ１００での接眼検知時に携帯端末２００からカメラ操作されることは無い。
【００４８】
以上、本発明の好ましい実施形態について説明したが、本発明はこれらの実施形態に限定されず、その要旨の範囲内で種々の変形及び変更が可能である。
（その他の実施形態）
上述の実施形態では、カメラ１００と携帯端末２００との通信を、無線通信を行うモードかコネクタ通信を行うモードかを選択することにより決定する例について述べた。これについては、例えば携帯端末２００がカメラ１００のコネクタに接続されたことを検知することをトリガとして、無線通信から有線通信（すなわちコネクタ通信）に切り替えてもよい。つまり、一旦無線通信を切断し、有線通信により接続し直す。一般的には、有線通信のほうが無線通信よりも消費電力が少ない。つまり、このような構成とすることで、より消費電力を低減することができる。
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００４９】
１００：カメラ、１０１：表示装置、１０２：中央処理装置（ＣＰＵ）、１０３：主記憶装置、１０４：不揮発性メモリ、１０５：通信インターフェース、１０６：撮像部、１０７：画像処理部、１０８：接眼検知部、１０９：操作部、１１０：記憶媒体、１１１：コネクタ端子、１１２：無線通信用アンテナ、１１３：バス、２００：携帯端末、２０１：表示装置、２０２：中央処理装置（ＣＰＵ）、２０３：主記憶装置、２０４：不揮発性メモリ、２０５：通信インターフェース、２０６：タッチ位置検出部、２０７：着信通知部、２０８：通話部、２０９：操作部、２１０：記憶媒体、２１１：コネクタ端子、２１２：無線通信用アンテナ、２１３：バス
【図１】
2018082488.tif 000003
【図２】
2018082488.tif 000004
【図３】
2018082488.tif 000005
【図４】
2018082488.tif 000006
【図５】
2018082488.tif 000007
【図６】
2018082488.tif 000008
【図７】
2018082488.tif 000009
【図８】
2018082488.tif 000010
【図９】
2018082488.tif 000011
【図１０】
2018082488.tif 000012
【図１１】
2018082488.tif 000013